(57)【要約】【課題】外壁に対する水切部材の着脱を容易化することができ、しかも、土台水切を利用することで下地フレームに対する外壁面材の位置合わせを容易に行うことができる建物の外壁構造を提供する。【解決手段】外壁３０は外壁パネル３１を含んで構成されており、外壁パネル３１は、外壁面材３２と下地フレーム３３とを有している。下地フレーム３３は、外壁面材３２の下端に沿って延びている横フレーム材３６ａを有しており、その横フレーム材３６ａには土台水切４１が取り付けられている。土台水切４１は、横フレーム材３６ａに取り付けられたベース部材４２と、ベース部材４２に装着されたカバー部材４３とを有している。ベース部材４２は、横フレーム材３６ａよりも屋外側に向けて延びている延出部４６を有しており、その延出部４６の上面は外壁面材３２の下端面と対向している。【選択図】      図２
2013194441.tif 000002
【特許請求の範囲】
【請求項１】
複数の外壁パネルが横並びに設けられているとともに、各外壁パネルの下端部に沿って延びるように土台水切が設けられている建物の外壁構造であって、
前記外壁パネルは、建物躯体に取り付けられる下地フレームと、該下地フレームの屋外側に取り付けられている外壁面材とを有しており、
前記土台水切は、前記下地フレームに取り付けられた取付部材と、該取付部材に対して装着された水切部材とを有しており、
前記取付部材は、前記下地フレームよりも屋外側に向けて延びている延出部を有しており、該延出部の上面は、前記外壁面材の下端面と対向していることを特徴とする建物の外壁構造。
【請求項２】
前記取付部材は、前記延出部から上方に向けて延びていることで前記外壁面材の屋外面と対向している対向部を有する請求項１に記載の建物の外壁構造。
【請求項３】
前記水切部材は、前記外壁面材の下端部を屋外側から覆う状態で該下端部に沿って延びるように設けられている請求項１又は２に記載の建物の外壁構造。
【請求項４】
前記取付部材は、前記複数の外壁パネルの下地フレームにそれぞれ取り付けられており、
前記水切部材は、隣り合う前記外壁パネルに架け渡された状態で、それら外壁パネルの各取付部材に取り付けられている請求項３に記載の建物の外壁構造。
【請求項５】
柱及び梁材を有する複数の建物ユニットにより構築されたユニット式建物に適用され、
前記外壁パネルは、横並びで隣り合う建物ユニットのそれぞれに取り付けられており、
前記取付部材は、前記隣り合う建物ユニットにおいて前記外壁パネルの各下地フレームのそれぞれに取り付けられており、
前記水切部材は、前記隣り合う建物ユニットに架け渡された状態で、それら建物ユニットの各取付部材に取り付けられている請求項３又は４に記載の建物の外壁構造。
【請求項６】
前記取付部材は、前記延出部から上方に向けて延びていることで前記下地フレームと前記外壁面材との間に入り込んでいる入り込み部を有しており、
前記入り込み部は、前記下地フレームと前記外壁面材との間において該下地フレームに対して固定されている請求項１乃至５のいずれか１項に記載の建物の外壁構造。
【請求項７】
前記取付部材は、前記入り込み部から屋外側に向けて突起した突起部を有しており、
前記外壁面材は、前記突起部に当接していることで前記入り込み部から屋外側に離間している請求項６に記載の建物の外壁構造。
【請求項８】
前記下地フレームは、前記外壁面材の下端部に沿って延びている横フレーム材を有しており、
前記取付部材は、前記入り込み部から屋内側に向けて延び且つ前記横フレーム材の上端及び下端の少なくとも一方に引っ掛けられた引っ掛け部を有している請求項６又は７に記載の建物の外壁構造。
【請求項９】
前記水切部材は、該水切部材の屋内側にて電気配線を支持する配線支持部を有している請求項１乃至８のいずれか１項に記載の建物の外壁構造。
【発明の詳細な説明】
【技術分野】
【０００１】
本発明は、外壁パネルの下端部に土台水切が設けられた建物の外壁構造に関するものである。
【背景技術】
【０００２】
住宅等の建物においては、外壁の下端部に水切部材が取り付けられている。例えば、外壁面を形成する外壁面材が土台や下地材などの壁下地に対して固定されている建物において、水切部材が、その上端部が外壁面材と壁下地との間に入り込んだ状態でそれら外壁面材及び土台に対して固定されている構成がある（例えば特許文献１）。この構成では、水切部材が外壁面材の屋内側の位置から下方に向けて延びた状態となっている。
【先行技術文献】
【特許文献】
【０００３】
【特許文献１】特開２０１２−２１３５６号公報
【発明の概要】
【発明が解決しようとする課題】
【０００４】
しかしながら、水切部材が外壁面材と壁下地との間に入り込んでいる構成では、外壁面材を壁下地に取り付けるよりも前に、水切部材を外壁面材又は壁下地に取り付ける必要があり、外壁面材を壁下地に取り付けた後に、水切部材を外壁に対して後付けするということができない。このため、例えば水切部材が変形したり破損したりした場合、水切部材を取り替えるには水切部材を取り外す前に外壁面材を壁下地から取り外す必要があり、水切部材を取り替える際の作業負担が大きくなってしまう。
【０００５】
本発明は、外壁に対する水切部材の着脱を容易化することができ、しかも、土台水切を利用することで下地フレームに対する外壁面材の位置合わせを容易に行うことができる建物の外壁構造を提供することを主たる目的とするものである。
【課題を解決するための手段】
【０００６】
以下、上記課題を解決するのに有効な手段等につき、必要に応じて作用、効果等を示しつつ説明する。
【０００７】
第１の発明の建物の外壁構造は、複数の外壁パネルが横並びに設けられているとともに、各外壁パネルの下端部に沿って延びるように土台水切が設けられている建物の外壁構造であって、前記外壁パネルは、建物躯体に取り付けられる下地フレームと、該下地フレームの屋外側に取り付けられている外壁面材とを有しており、前記土台水切は、前記下地フレームに取り付けられた取付部材と、該取付部材に対して装着された水切部材とを有しており、前記取付部材は、前記下地フレームよりも屋外側に向けて延びている延出部を有しており、該延出部の上面は、前記外壁面材の下端面と対向していることを特徴とする。
【０００８】
第１の発明によれば、土台水切においては、下地フレームに取付部材及び外壁面材を取り付けた後に、水切部材を取付部材に取り付けることが可能となっている。このため、外壁パネルが建物躯体に取り付けられた後において、その外壁パネルに対する水切部材の取り付け位置を上下方向に調整することが可能となる。しかも、取付部材の延出部の上面が外壁面材の下端面と対向しているため、外壁の構築に際して、取付部材を下地フレームに取り付け、その取付部材の延出部に外壁面材を当接させることで、下地フレームに対する外壁面材の上下方向の位置合わせを行うことができる。
【０００９】
以上により、外壁に対する水切部材の着脱を容易化することができ、しかも、土台水切を利用することで下地フレームに対する外壁面材の位置合わせを容易に行うことができる。
【００１０】
第２の発明では、前記取付部材は、前記延出部から上方に向けて延びていることで前記外壁面材の屋外面と対向している対向部を有する。
【００１１】
第２の発明によれば、外壁面材が屋外側に移動することを取付部材の対向部により規制できる。この場合、外壁面材の下端部を下地フレームと取付部材の対向部との間に挿し入れることが、下地フレームに対して外壁面材を仮止めすることになるため、手などで押さえていなくても外壁面材の下端部の位置がずれることを抑制できる。これにより、ビス等により外壁面材を下地フレームに取り付ける作業を容易化できる。
【００１２】
第３の発明では、前記水切部材は、前記外壁面材の下端部を屋外側から覆う状態で該下端部に沿って延びるように設けられている。
【００１３】
第３の発明によれば、水切部材が外壁面材の下端部を屋外側から覆うことができるため、外壁面材の下端面が屋外側に露出することで建物の見栄えが悪くなるということを回避できる。
【００１４】
また、横並びに配置された複数の外壁パネルにおいては、それぞれの外壁面材の下端の高さ位置が同じになっていないことが想定される。これに対して、水切部材は、外壁面材の下端面だけでなく、隣り合う外壁面材の下端をまとめて覆い隠すことが可能となる。この場合、外壁面材の下端の高さ位置の不揃いも見切り部材により覆い隠すことが可能となるため、外壁面材の下端が不揃いであることによって建物の見栄えが低下するということを回避できる。
【００１５】
第４の発明では、前記取付部材は、前記複数の外壁パネルの下地フレームにそれぞれ取り付けられており、前記水切部材は、隣り合う前記外壁パネルに架け渡された状態で、それら外壁パネルの各取付部材に取り付けられている。
【００１６】
第４の発明によれば、水切部材が隣り合う外壁パネルに架け渡されているため、それら外壁パネルの各外壁面材の下端の高さ位置が不揃いであっても、それら下端をまとめて覆い隠すことができる。これにより、外壁面材の下端の高さ位置が不揃いであることによって建物の見栄えが低下するということを回避できる。
【００１７】
なお、取付部材を利用して下地フレームに対する外壁面材の位置合わせを行う構成においては、外壁面材の下端の高さ位置の不揃いが、取付部材の取り付け高さ位置の不揃いに起因すると考えられる。そこで、取付部材に対する水切部材の取り付け位置が上下方向に変位可能な構成とされていることが好ましい。これにより、取付部材の取り付け高さ位置が不揃いでも、各取付部材に対する見切部材の取り付け位置を調整することにより、見切部材を直線状に配置できる。
【００１８】
第５の発明では、柱及び梁材を有する複数の建物ユニットにより構築されたユニット式建物に適用され、前記外壁パネルは、横並びで隣り合う建物ユニットのそれぞれに取り付けられており、前記取付部材は、前記隣り合う建物ユニットにおいて前記外壁パネルの各下地フレームのそれぞれに取り付けられており、前記水切部材は、前記隣り合う建物ユニットに架け渡された状態で、それら建物ユニットの各取付部材に取り付けられている。
【００１９】
第５の発明によれば、水切部材が隣り合う建物ユニットに架け渡されているため、それら建物ユニットの各外壁面材の下端の高さ位置が不揃いであっても、それら下端をまとめて覆い隠すことが可能となる。これにより、外壁面材の下端の高さ位置が建物ユニットごとに不揃いであることによって建物の見栄えが低下するということを回避できる。
【００２０】
第６の発明では、前記取付部材は、前記延出部から上方に向けて延びていることで前記下地フレームと前記外壁面材との間に入り込んでいる入り込み部を有しており、前記入り込み部は、前記下地フレームと前記外壁面材との間において該下地フレームに対して固定されている。
【００２１】
第６の発明によれば、取付部材の入り込み部が下地フレームに固定されているため、下地フレームに対する取付部材の固定部分を外壁面材により屋外側から覆い隠すことができる。
【００２２】
第７の発明では、前記取付部材は、前記入り込み部から屋外側に向けて突起した突起部を有しており、前記外壁面材は、前記突起部に当接していることで前記入り込み部から屋外側に離間している。
【００２３】
第７の発明によれば、突起部により入り込み部と外壁面材との間に隙間が確保されるため、例えばビスが屋外側から入り込み部及び下地フレームに螺着されている場合、入り込み部から屋外側に向けて突出したビス頭部に外壁面材が押し付けられた状態となることを回避できる。ここで、ビス頭部の突出寸法はビスごとに異なりやすく、外壁面材がビス頭部に押し付けられている構成では、外壁面材と下地フレームとの離間距離を一定にならず、屋外側への突出寸法が外壁面材ごとに異なって外壁の屋外面（外壁面）に段差が生じてしまう。これに対して、本構成では、外壁面材と下地フレームとの離間距離を突起部にて所定距離に定めることにより、外壁の屋外面に段差が生じることを回避できる。
【００２４】
なお、突起部により確保された下地フレームと外壁面材との間の隙間は、外壁内の通気層とされることが好ましい。この構成によれば、通気層が下地フレームの屋外側に形成されているため、その通気層が下地フレームの横フレーム材により上下に仕切られた状態になるということがない。
【００２５】
第８の発明では、前記下地フレームは、前記外壁面材の下端部に沿って延びている横フレーム材を有しており、前記取付部材は、前記入り込み部から屋内側に向けて延び且つ前記横フレーム材の上端及び下端の少なくとも一方に引っ掛けられた引っ掛け部を有している。
【００２６】
第８の発明によれば、取付部材の引っ掛け部を下地フレームに引っ掛けることにより、下地フレームに対する取付部材の上下方向の位置合わせを行うことができる。これにより、取付部材の取り付け位置が上下にずれることで取付部材の取り付け位置が上下にずれるということを回避できる。
【００２７】
第９の発明では、前記水切部材は、該水切部材の屋内側にて電気配線を支持する配線支持部を有している。
【００２８】
第９の発明によれば、水切部材を取付部材に取り付けることで電気配線の敷設を行うことができる。このため、建物躯体に取り付けられた状態の外壁パネルに対して水切部材を後付けすることができるという構成において、電気配線の敷設作業を容易化できる。
【図面の簡単な説明】
【００２９】
【図１】建物ユニット及び外壁パネルを示す分解斜視図。
【図２】外壁における土台水切周辺の縦断面図。
【図３】外壁パネル及び土台水切の構成を示す図。
【図４】外壁パネルの組み立て手順について説明するための図。
【図５】別の土台水切及び外壁面材の分解斜視図。
【図６】別の外壁における土台水切周辺の縦断面図。
【図７】別の外壁における土台水切周辺の縦断面図。
【発明を実施するための形態】
【００３０】
以下、本発明を具体化した一実施形態について図面を参照しつつ説明する。本実施形態では、本発明を適用する建物が、複数の建物ユニットが連結されることで構築されたユニット式建物とされている。ユニット式建物においては、基礎の上に建物ユニットが設置されており、外壁は建物ユニットに対して取り付けられている。まず、建物ユニットについて図１を参照しつつ説明する。図１は、建物ユニット２０及び外壁パネル３１を示す分解斜視図、図２は、外壁３０における土台水切４１周辺の縦断面図である。
【００３１】
図１に示すように、建物ユニット２０は、四隅に配置された柱２１と、柱２１の上端部（上仕口）に連結された天井大梁２２と、柱２１の下端部（下仕口）に連結された床大梁２３とを有しており、これら柱２１、天井大梁２２、床大梁２３により直方体状の骨格（フレーム）が形成されている。柱２１は四角筒状の角形鋼よりなる。また、天井大梁２２及び床大梁２３は断面コ字状の溝形鋼よりなり、溝部開放側を互いに向き合わせるようにユニット内側に向けて配置されている。
【００３２】
建物ユニット２０において長辺部（桁面）に沿って延び且つ相対する一対の天井大梁２２の間には、所定間隔で複数の天井小梁２５が架け渡されている。同じく長辺部に沿って延び且つ相対する一対の床大梁２３の間には、所定間隔で複数の床小梁２６が架け渡されている。天井小梁２５及び床小梁２６は、それぞれ同一の間隔で且つ短辺側（妻側）の天井大梁２２及び床大梁２３と平行に延びている。天井小梁２５及び床小梁２６はそれぞれリップ溝形鋼よりなる。天井小梁２５によって天井面材２８が支持され、床小梁２６によって床面材２９が支持されている。
【００３３】
建物の外壁３０（図３参照）は、外壁パネル３１を含んで構成されており、外壁パネル３１は、建物ユニット２０の側面部に横並びで複数設けられている。外壁パネル３１は、外壁面を形成する外壁面材３２と、外壁面材３２を支持している下地フレーム３３とを有しており、外壁面材３２は、例えば窯業系サイディング等の外装材により矩形状に形成され、下地フレーム３３は、全体として矩形枠状に形成されている。各外壁パネル３１は、下地フレーム３３が天井大梁２２や床大梁２３等の建物躯体に固定されることで建物ユニット２０に対して取り付けられている。
【００３４】
下地フレーム３３は、上下方向に延びる一対の縦フレーム材３５と、それら縦フレーム材３５の間において左右方向に延びる横フレーム材３６とを有している。横フレーム材３６は上下方向に複数並べられており、各横フレーム材３６は一対の縦フレーム材３５を連結している。縦フレーム材３５及び横フレーム材３６は、断面コ字状の軽量溝形鋼により形成されており、縦フレーム材３５は溝開口を内側に向けて配置されている。この場合、隣り合う外壁パネル３１は、各縦フレーム材３５のウェブ同士がビス等により固定されることで連結されている。
【００３５】
複数の横フレーム材３６のうち最下段の横フレーム材３６ａは、溝開口を下方に向けた状態で一対の縦フレーム材３５の下端同士を連結しており、床大梁２３の屋外側面に取り付けられている。最上段の横フレーム材３６ｂは、溝開口を上方に向けた状態で一対の縦フレーム材３５の上端同士を連結しており、天井大梁２２の屋外側面に取り付けられている。最下段の横フレーム材３６ａは外壁面材３２の下端に沿って延びており、最上段の横フレーム材３６ｂは外壁面材３２の上端に沿って延びている。
【００３６】
図２に示すように、外壁３０においては、外壁パネル３１の屋内側に断熱層３７が設けられている。断熱層３７は、グラスウール等の繊維系断熱材により形成されており、建物ユニット２０ごとに天井大梁２２と床大梁２３との間において外壁パネル３１の屋内側面に沿って延びている。断熱層３７は、外壁面材３２から屋内側に離間して配置されており、その離間部分が通気層３８とされている。通気層３８は、下地フレーム３３の縦フレーム材３５に沿って上下方向に延びており、上下方向の中間位置に配置された横フレーム材３６には、その横フレーム材３６を挟んで上下にある通気層３８同士を連通させるための連通孔が形成されている。
【００３７】
下地フレーム３３の屋外側には防水紙等の防水シート３９が設けられている。防水シート３９は、下地フレーム３３の枠内空間を屋外側から塞ぐようにその下地フレーム３３に沿って延びており、その上下両端が横フレーム材３６ａ，３６ｂにそれぞれ固定されている。防水シート３９は、横フレーム材３６及び縦フレーム材３５の屋外側側面に当接している一方で、外壁面材３２と防水シート３９との間には隙間が形成されている。この場合、外壁面材３２と断熱層３７との間において、通気層３８が防水シート３９により屋内側通気層３８ａと屋外側通気層３８ｂとに仕切られている。
【００３８】
外壁パネル３１において、外壁面材３２の下端に沿って延びている横フレーム材３６ａには土台水切４１が取り付けられている。ここでは、土台水切４１の構成について図２、図３を参照しつつ説明する。図３は、外壁パネル３１及び土台水切４１の構成を示す図であり、（ａ）に土台水切４１及び外壁面材３２を屋外側から見た正面図を示し、（ｂ）に土台水切４１及び外壁面材３２の分解斜視図を示す。
【００３９】
図２に示すように、土台水切４１は、横フレーム材３６ａに取り付けられた取付部材としてのベース部材４２と、ベース部材４２に装着された水切部材としてのカバー部材４３とを有しており、ベース部材４２及びカバー部材４３は、アルミニウム等の金属材料により形成された板材が折り曲げられることで形成されている。なお、ベース部材４２及びカバー部材４３は、合成樹脂材料により形成されていてもよい。
【００４０】
ベース部材４２は、縦断面略コ字状に形成され、上方に向けて開放された溝部が横フレーム材３６ａに沿って延びる状態で設けられている（図３参照）。ベース部材４２は、横フレーム材３６ａに固定された固定部４５と、固定部４５から屋外側に向けて延びている延出部４６と、カバー部材４３を支持する支持部４７とを有している。
【００４１】
ベース部材４２の溝部内には、外壁面材３２の下端部が上方から入り込んでいる。この場合、固定部４５は外壁面材３２の屋内側において、その外壁面材３２と横フレーム材３６ａとの間に下方から入り込んだ入り込み部となっており、固定部４５の板面は外壁面材３２の屋内側面と対向している。固定部４５は、横フレーム材３６ａの屋外側面に沿って延びており、ビス５１により横フレーム材３６ａの屋外側フランジに対して固定されている。ビス５１は、固定部４５及び横フレーム材３６ａに対して屋外側から螺着されており、ビス頭部５１ａが固定部４５と外壁面材３２との間に存在している。
【００４２】
下地フレーム３３の屋外側においては、防水シート３９が固定部４５及び横フレーム材３６ａにて挟持されている。ベース部材４２は、延出部４６よりも上方において固定部４５から屋外側に向けて突起した突起部４９を有しており、その突起部４９が外壁面材３２の屋内側面に当接することで外壁面材３２と防水シート３９との間に屋外側通気層３８ｂが確保されている。この場合、突起部４９は、外壁面材３２を防水シート３９から離間させるためのスペーサとして機能していることになる。ちなみに、突起部４９は、固定部４５を形成する板部の上端を屋外側の下方に向けて湾曲させることで固定部４５から屋外側に突起した状態となっており、その湾曲部の下端部分が外壁面材３２の屋内側面に当接している。
【００４３】
突起部４９は、外壁面材３２と防水シート３９との間に加えて、外壁面材３２と固定部４５との間にも隙間を確保しており、その隙間にはビス５１のビス頭部５１ａが収納されている。この場合、外壁面材３２と固定部４５との離間距離（突起部４９の突起寸法）は、固定部４５からのビス頭部５１ａの突出寸法と同じ又はその突出寸法よりも大きくされており、外壁面材３２がビス頭部５１ａに押し付けられた状態にならないようになっている。
【００４４】
ベース部材４２の溝部内においては、外壁面材３２の下端が延出部４６の上に配置されており、外壁面材３２の下端面と延出部４６の上面とは接近又は当接した状態で対向している。延出部４６は、横フレーム材３６ａの屋外側フランジから屋外側に向けて延びており、その延出寸法は外壁面材３２の厚み寸法よりも大きくされている。
【００４５】
ベース部材４２の支持部４７は、外壁面材３２よりも屋外側において延出部４６から上方に向けて延びており、その屋内側面が外壁面材３２の屋外面と対向している。支持部４７と突起部４９との離間距離は、外壁面材３２の厚み寸法よりも大きくされているが、僅かに大きくされている程度であるため、外壁面材３２が横フレーム材３６ａから離れる側（屋外側）に移動することが支持部４７により規制されるようになっている。なお、ベース部材４２においては、支持部４７が外壁面材３２の屋外面に対向する対向部に相当する。
【００４６】
カバー部材４３は、外壁面材３２の下端部を屋外側から覆い隠すように設けられており、その外壁面材３２の下端部に沿って延びている。カバー部材４３は、外壁面材３２の屋外面の下端部（一部）を覆い隠すとともにその下端部よりも下方に延びる水切部５６と、水切部５６の下端部から屋内側に折り返された折り返し部５７とを有している。水切部５６の上部は、ベース部材４２の支持部４７を挟んで外壁面材３２の屋外面と対向しており、外壁面材３２の屋外面下部に加えて支持部４７を覆い隠している。
【００４７】
水切部５６は、上下方向に見て中間部分よりも下方で屋外側に膨らむようにして形成されている。折り返し部５７は、水切部５６から屋内側の斜め上方に向けて延びており、その上端部は、外壁面材３２の仕上面（屋外側面）よりも屋内側に達している。この場合、例えば、外壁面材３２の仕上面に付着した雨水がその外壁面材３２の下端から下方に落ちても、その雨水は折り返し部５７により受け止められるため、接続部６１，６２の真下に落ちることを抑制できる。
【００４８】
また、折り返し部５７には、その折り返し部５７を貫通する水抜き孔５８が形成されており、その水抜き孔５８は、ベース部材４２の支持部４７よりも屋外側に位置するように水切部５６寄りに配置されている。この場合、折り返し部５７により受け止められた雨水は、基礎よりも屋外側において水抜き孔５８から下方に流れ落ちることになる。これにより、雨水が基礎の上端面に溜まるということを抑制できる。
【００４９】
折り返し部５７の上面には、電力ケーブルや信号線などの電気配線５９が設置されている。この場合、水切部５６の屋内側であって折り返し部５７の上方スペースが配線スペースとされており、電気配線５９は水切部５６に沿って延びた状態で折り返し部５７により支持されていることになる。また、折り返し部５７においては自由端側が基端側よりも上方にあるため、電気配線５９は、単に折り返し部５７の上面に載置されることで、その折り返し部５７により位置保持された状態となっている。この場合、折り返し部５７は、電気配線５９を支持する配線支持部に相当する。
【００５０】
カバー部材４３は、ベース部材４２に対して着脱可能に取り付けられている。ベース部材４２に第１接続部６１が設けられているとともに、カバー部材４３に第２接続部６２が設けられており、第１接続部６１と第２接続部６２とは、互いに組み付けられた組み付け状態となることで互いに接続され、それによって、カバー部材４３がベース部材４２に装着された状態となる。また、接続部６１，６２の装着状態を解除することで、カバー部材４３をベース部材４２から取り外すことができる。
【００５１】
カバー部材４３の第２接続部６２は、水切部５６から屋内側（ベース部材４２の支持部４７）に向けて突出した上下一対の装着部６２ａを有している。各装着部６２ａは、水切部５６に沿って左右方向に延びており（図３（ｂ）参照）、それら装着部６２ａにより溝部が形成されている。上側の装着部６２ａは、突出方向において中間部分が上側に向けて曲がった形状とされており、下側の装着部６２ａは、下側に向けて曲がった形状とされている。
【００５２】
ベース部材４２の第１接続部６１は、支持部４７から屋外側に向けて突出した上下一対の被装着部６１ａを有しており、各被装着部６１ａは、支持部４７に沿って水平方向に延びている（図３（ｂ）参照）。第１接続部６１は、屋内側から第２接続部６２の溝部内に入り込んだ状態となっており、第２接続部６２の装着部６２ａが第１接続部６１の被装着部６１ａに装着されている。この場合、水平方向において装着部６２ａと被装着部６１ａとは相対的にスライド移動可能とされており、カバー部材４３は、ベース部材４２に取り付けられた状態でそのベース部材４２に対して水平方向へのスライド移動が可能となっている。
【００５３】
また、第２接続部６２の溝部の最大幅寸法（一対の装着部６２ａの最大離間距離）が、第１接続部６１の一対の被装着部６１ａの最大上下寸法よりも大きくされており、装着部６２ａと被装着部６１ａとの装着状態を保持したまま、第１接続部６１が第２接続部６２の溝部内にて上下方向に移動可能となっている。つまり、第１接続部６１と第２接続部６２との間には多少の遊び（隙間）が設けられており、それによって、カバー部材４３を、ベース部材４２に取り付けた状態でそのベース部材４２に対して上下方向に多少移動させることが可能となっている。
【００５４】
カバー部材４３は、接続部６１，６２の接続部分を上方から覆う覆い部６４を有している。覆い部６４は、第２接続部６２の上方において水切部５６の上端から屋内側（ベース部材４２側）に向けて突出しており、その先端はベース部材４２の第１接続部６１及び支持部４７の上方に位置している。
【００５５】
図３（ａ）に示すように、ベース部材４２は外壁パネル３１ごとに設けられている。この場合、外壁３０全体においては、ベース部材４２が所定間隔で横並びに配置されていることになる。カバー部材４３は、複数のベース部材４２対して取り付けられており、それによって、外壁３０の下端に沿って延びる状態となっている。この場合、カバー部材４３は、建物ユニット２０同士の境界部であるドッキングラインＤＬ、及び外壁パネル３１（外壁面材３２）同士の境界部であるモジュールラインＭＬをそれぞれ跨いだ状態となっている。換言すれば、カバー部材４３は、隣り合う建物ユニット２０に架け渡すように設けられているとともに、隣り合う外壁パネル３１に架け渡すように設けられている。
【００５６】
ここで、外壁３０においては、複数の外壁面材３２の下端が不揃いになってしまうことがある。例えば、一の建物ユニット２０において、隣り合う外壁面材３２の下端の高さ位置が異なっている場合や、一の建物ユニット２０の各外壁面材３２の下端が揃っていても建物ユニット２０ごとに外壁面材３２の下端の高さ位置が異なっている場合が想定される。外壁面材３２の下端が不揃いになっている場合、外壁パネル３１ごとのベース部材４２の高さ位置も不揃いになっていると想定されるが、上述したように、カバー部材４３の取り付け位置はベース部材４２に対して上下方向に調整することができるため、各ベース部材４２に取り付けられた状態のカバー部材４３を水平方向に真っ直ぐに延ばすことができる。したがって、カバー部材４３により外壁パネル３１の不揃いを覆い隠すことができる。
【００５７】
次に、外壁３０の構築手順について図３、図４を参照しつつ説明する。図４は、外壁パネル３１の組み立て手順について説明するための図である。なお、図４（ｂ）においては防水シート３９の図示を省略している。
【００５８】
外壁パネル３１の製作及び建物ユニット２０への取り付けは、建物ユニット製造工場等の工場において行われる。まず、複数の縦フレーム材３５と複数の横フレーム材３６とにより下地フレーム３３を形成する。そして、作業台の上に下地フレーム３３を寝かせた状態で、防水シート３９を下地フレーム３３の枠開口を上方から塞ぐようにその下地フレーム３３に取り付ける。その後、図４（ａ）に示すように、ベース部材４２を防水シート３９の上から下地フレーム３３の横フレーム材３６ａにビス５１を用いて固定し、図４（ｂ）に示すように、下地フレーム３３を複数横並びに配置し、それら下地フレーム３３を縦フレーム材３５同士で連結する。
【００５９】
複数の下地フレーム３３を連結した後、下地フレーム３３ごとに外壁面材３２を取り付ける。まず、図４（ｃ）に示すように、一の下地フレーム３３に対して、外壁面材３２の下端面をベース部材４２の延出部４６に当接させる。これにより、下地フレーム３３に対して墨出しを行わなくても、横フレーム材３６ａに対する外壁面材３２の上下方向の位置合わせを行うことができる。そして、図示しないビスを屋外側から外壁面材３２、ベース部材４２の固定部４５、下地フレーム３３の屋外側フランジに螺着し、それによって、外壁面材３２を下地フレーム３３に対して固定する。
【００６０】
なお、この場合、外壁面材３２が下地フレーム３３に対して押し付けられた状態となるが、ベース部材４２の突起部４９が外壁面材３２に当接することにより、下地フレーム３３（防水シート３９）と外壁面材３２との間に屋外側通気層３８ｂを確保することができる。
【００６１】
そして、図４（ｄ）に示すように、他の下地フレーム３３に対しても、外壁面材３２を取り付けていく。ここで、各下地フレーム３３の下端は同一直線上に並べられており、それに合わせて各ベース部材４２も同一直線上に並べられている。この場合、各外壁面材３２は、各ベース部材４２により下地フレーム３３に対して上下方向の位置合わせが行われているため、それら外壁面材３２の下端部も同一直線上に並べられている。つまり、各外壁面材３２の下端が揃った状態となっている。
【００６２】
以上のように、複数の外壁パネル３１の製作及び連結を行った後、それら外壁パネル３１を建物ユニット２０に対して取り付ける。そして、建物ユニット２０を外壁パネル３１ごと建築現場に運搬し、建築現場において設置する。その後、図３（ａ）に示すように、基礎の上において横並びに配置された複数の建物ユニット２０に対して、それら建物ユニット２０に架け渡すようにカバー部材４３を取り付ける。この場合、カバー部材４３は、各建物ユニット２０のベース部材４２のそれぞれに取り付ける。
【００６３】
ちなみに、ベース部材４２は、外壁面材３２よりも前に横フレーム材３６ａに取り付けられ、下地フレーム３３に対する外壁面材３２の位置合わせに利用されるため、外壁パネル３１を構成する部材であるとも言える。ベース部材４２が外壁パネル３１を構成する部材であってとしても、そのベース部材４２に対してカバー部材４３を装着することは可能である。
【００６４】
以上詳述した本実施形態によれば、以下の優れた効果が得られる。
【００６５】
土台水切４１においては、下地フレーム３３（横フレーム材３６ａ）にベース部材４２及び外壁面材３２を取り付けた後に、カバー部材４３をベース部材４２に取り付けることが可能となっている。このため、外壁パネル３１が床大梁２３等の建物躯体に取り付けられた後でも、その外壁パネル３１の取り付け状態に合わせてカバー部材４３を後付けすることができる。しかも、ベース部材４２の延出部４６の上面が外壁面材３２の下端面と対向しているため、外壁３０の構築に際して、ベース部材４２を下地フレーム３３に取り付け、ベース部材４２の溝部内に外壁面材３２の長手方向の端部を挿し入れた状態で、その外壁面材３２をベース部材４２の延出部４６に当接させることで、下地フレーム３３に対する外壁面材３２の上下方向の位置合わせを行うことができる。
【００６６】
以上により、外壁３０に対する水切部材としてのカバー部材４３の着脱を容易化することができ、しかも、土台水切４１のベース部材４２を利用することで下地フレーム３３に対する位置合わせを容易に行うことができる。
【００６７】
外壁面材３２の下端部が、横フレーム材３６ａの屋外側フランジとベース部材４２の支持部４７との間に挿し入れられた状態となっているため、外壁面材３２が横フレーム材３６ａから屋外側に遠ざかる側に移動することを支持部４７により規制できる。この場合、外壁面材３２の下端部を支持部４７の屋内側（横フレーム材３６ａ側）に挿し入れることが、横フレーム材３６ａに対して外壁面材３２を仮止めすることになるため、手などで押さえていなくても外壁面材３２の下端部の位置がずれることを抑制できる。これにより、ビス等により外壁面材３２を下地フレーム３３に取り付ける作業を容易化できる。
【００６８】
外壁面材３２の下端部がカバー部材４３の水切部５６により屋外側から覆い隠されているため、外壁面材３２の下端部が屋外側に露出することで建物の見栄えが悪くなるということを回避できる。
【００６９】
この場合、外壁面材３２の下端部及びベース部材４２の両方がカバー部材４３により屋外側から覆い隠されていることになるため、ベース部材４２が屋外側に露出することを回避できる。したがって、外壁面材３２が下地フレーム３３から遠ざかる方向に移動することをベース部材４２の支持部４７により規制できる構成において、支持部４７によって外壁３０の見栄えが損なわれるということを回避できる。
【００７０】
隣り合う外壁パネル３１にカバー部材４３が架け渡された状態となっているため、外壁パネル３１ごとにカバー部材４３が非連続な状態となることを回避できる。つまり、外壁パネル３１ごとにカバー部材４３の取り付け高さ位置が異なるということを抑制できる。また、この場合、隣り合う外壁パネル３１の各外壁面材３２の下端の高さ位置が不揃いであっても、それら下端をカバー部材４３によりまとめて覆い隠すことができる。これにより、外壁面材３２の下端の高さ位置が不揃いであることによって建物の見栄えが低下するということを回避できる。
【００７１】
隣り合う建物ユニット２０にカバー部材４３が架け渡された状態となっているため、建物ユニット２０ごとにカバー部材４３の取り付け高さ位置が異なるということを回避できる。したがって、カバー部材４３が非連続な状態となって外壁３０の見栄えが損なわれるということを回避できる。また、この場合、隣り合う建物ユニット２０の各外壁面材３２の下端の高さ位置が不揃いであっても、それら下端をカバー部材４３によりまとめて覆い隠すことができる。これにより、外壁面材３２の下端の高さ位置が建物ユニット２０ごとに不揃いであることによって建物の見栄えが低下するということを回避できる。
【００７２】
ベース部材４２の固定部４５は、外壁面材３２の屋内側面と横フレーム材３６ａの屋外側フランジとの間に入り込んだ状態となっているため、下地フレーム３３に対するベース部材４２の固定部分を外壁面材３２により屋外側から覆い隠すことができる。
【００７３】
しかも、ベース部材４２においては、固定部４５が延出部４６から上方に向けて延びているため、固定部４５が延出部４６から下方に向けて延びている場合とは異なり、固定部４５の高さ寸法の分だけ延出部４６を横フレーム材３６ａの下端から上方に配置するという必要がない。この場合、外壁面材３２の下端が横フレーム材３６ａの下端から上方に離間した離間距離を小さくすることができるため、延出部４６が下方に向けて延びている場合に比べて、横フレーム材３６ａと外壁面材３２との上下方向の重なり幅を大きく確保することができる。これにより、横フレーム材３６ａに対して外壁面材３２を強固に取り付けることが可能となる。
【００７４】
ベース部材４２において固定部４５から突起した突起部４９により固定部４５と外壁面材３２との間に隙間が確保されているため、外壁面材３２が、その外壁面材３２と固定部４５との間にあるビス頭部５１ａに押し付けられた状態となることを回避できる。この場合、突起部４９が設けられていない場合、すなわち、外壁面材３２がビス頭部５１ａに押し付けられた状態となっている場合とは異なり、外壁面材３２と固定部４５（横フレーム材３６ａ）との離間距離が各外壁面材３２について一定となるため、外壁３０の仕上面に段差が生じることを抑制できる。
【００７５】
下地フレーム３３と外壁面材３２との間に屋外側通気層３８ｂが形成されているため、このため、仮に横フレーム材３６の上側及び下側の各屋内側通気層３８ａが非連通状態になっていても、屋内側通気層３８ａにより外壁３０内の通気を行うことができる。しかも、ベース部材４２の突起部４９により屋外側通気層３８ｂが確保されている構成（外壁面材３２が下地フレーム３３から離間されている構成）において、ベース部材４２は、所定間隔で複数設けられているため、屋外側通気層３８ｂは、ベース部材４２同士の離間部分を通じて下方に向けて開放されている。したがって、ベース部材４２に通気孔などを形成しなくても、屋外側通気層３８ｂにより外壁３０内を通気可能な構成と実現できる。
【００７６】
カバー部材４３において、折り返し部５７の上に電気配線５９が敷設されているため、その電気配線５９を水切部５６により屋外側から覆い隠すことができる。これにより、電気配線５９が屋外側に露出することで外壁３０の見栄えが損なわれるということを回避できる。しかも、電気配線５９を敷設する作業を、折り返し部５７の上に載せるという容易な作業とすることができる。
【００７７】
［他の実施形態］
本発明は上記実施形態の記載内容に限定されず、例えば次のように実施されてもよい。
【００７８】
（１）カバー部材４３とベース部材４２との接続部分において、図５に示すように、接続部６１，６２が上下方向に延びるように設けられていてもよい。この構成によれば、第１接続部６１に対して第２接続部６２が上下方向にスライド移動することにより、ベース部材４２に対するカバー部材４３の取り付け位置を上下方向に変更することができる。したがって、外壁パネル３１ごとにベース部材４２の高さ位置が大きく異なっていても、カバー部材４３を水平方向に真っ直ぐに延ばすことができる。つまり、隣り合う外壁面材３２の各下端部の高さ位置が大きく異なっていても、その下端部の不揃いをカバー部材４３により覆い隠すことができる。
【００７９】
カバー部材４３においては、そのカバー部材４３のスライド方向（上下方向）において第２接続部６２の上方に覆い部６４が配置されているため、その覆い部６４がベース部材４２の第１接続部６１の上端に引っ掛かることにより、カバー部材４３がベース部材４２に対して下方にスライド移動することが阻止された状態となっている。
【００８０】
なお、カバー部材４３及びベース部材４２において、接続部６１，６２の一方は上下方向の長さ寸法が小さくされていてもよい。この場合でも、接続部６１，６２を相対的に上下方向にスライド移動させることは可能である。
【００８１】
（２）上記実施形態では、ベース部材４２とカバー部材４３とが接続されている接続部分が外壁面材３２の下端よりも上方位置に配置されていたが、外壁面材３２の下端の側方位置や下方位置に配置されていてもよい。例えば、図６（ａ）に示すように、ベース部材４２の対向部としての支持部４７が、延出部４６から下方に向けて延び、ベース部材４２とカバー部材４３とを接続する接続部６１，６２が、外壁面材３２の下方に配置された構成とする。この構成では、カバー部材４３において第２接続部６２が水切部５６の上下方向の中央付近に設けられており、水切部５６は第２接続部６２よりも上方に突出している。このため、第２接続部６２が外壁面材３２よりも下方に配置されていても、水切部５６が外壁面材３２の下端部を屋外側から覆った状態となっている。
【００８２】
カバー部材４３において折り返し部５７は、外壁面材３２の屋内側面よりも屋内側に達している。この場合、例えば雨水が外壁面材３２の間の目地部分等を通じて外壁面材３２よりも屋内側に浸入し、外壁面材３２の屋内側面に沿って流下しても、その雨水を折り返し部５７により受け止めることができる。そして、折り返し部５７にて受け止められた雨水等は、水抜き孔５８から下方に流れ落ちる。
【００８３】
また、カバー部材４３においては、水切部５６が下端から屋外側に膨らむようにして下方に延びているのではなく、真下に向けて下方に延びている。なお、水切部５６は、屋内側に膨らむようにして下方に延びていてもよい。
【００８４】
また、図６（ｂ）に示すように、カバー部材４３は、ベース部材４２の支持部４７ではなく延出部４６に対して着脱可能に装着された構成としてもよい。この構成では、カバー部材４３の水切部５６に係止部７１が設けられているとともに、ベース部材４２の延出部４６に被係止部７２が設けられ、それら係止部７１と被係止部７２とが係止されることで、カバー部材４３がベース部材４２に装着された状態となる。
【００８５】
係止部７１は、水切部５６の上端部から屋内側に向けて延びており、カバー部材４３は、外壁面材３２の下方に設置されている。この場合、水切部５６は外壁面材３２の下端部を屋外側から覆い隠してはおらず、外壁面材３２の下端部が屋外側に露出した状態となっている。なお、この場合、ベース部材４２においては、延出部４６及び被係止部７２が、カバー部材４３を支持する支持部に相当する。また、折り返し部５７には水抜き孔５８が設けられていなくてもよい。
【００８６】
ベース部材４２においては、延出部４６の先端部が外壁面材３２の屋外面よりも屋内側に配置されている。つまり、固定部４５からの延出部４６の延出寸法が外壁面材３２の厚み寸法より小さくされている。この場合でも、延出部４６の上面は外壁面材３２の下端面と対向しているため、外壁面材３２を下地フレーム３３に取り付ける際に、延出部４６によって下地フレーム３３に対する外壁面材３２の上下方向の位置合わせを行うことが可能となっている。
【００８７】
（３）ベース部材４２には、横フレーム材３６ａの上端又は下端に引っ掛けられる引っ掛け部が設けられていてもよい。例えば、図６（ａ）に示すように、ベース部材４２に設けられた引っ掛け部７４が、横フレーム材３６ａの上端に引っ掛けられている構成とする。この構成では、引っ掛け部７４が固定部４５の上端から屋内側に向けて延び、横フレーム材３６ａの上端に引っ掛けられており、それによって、ベース部材４２が横フレーム材３６ａに対して下方に移動することが規制されている。このため、外壁パネル３１の製作時において、下地フレーム３３に対してベース部材４２を取り付ける際に、引っ掛け部７４を横フレーム材３６ａに引っ掛けた状態とすることにより、下地フレーム３３に対して墨出しを行わなくても、上下方向において横フレーム材３６ａに対するベース部材４２の位置合わせを行うことができる。
【００８８】
ベース部材４２においては、引っ掛け部７４が横フレーム材３６ａのウェブに対してビス５１により固定されている。この場合、ビス５１のビス頭部５１ａは横フレーム材３６ａ側に存在しており、横フレーム材３６ａと外壁面材３２との間には存在していない。このため、ベース部材４２には、固定部４５と外壁面材３２との離間させるための突起部４９は設けられていなくてもよい。
【００８９】
なお、下地フレーム３３と外壁面材３２との間に防水シート３９が設けられていない構成としてもよい。
【００９０】
また、図６（ｂ）に示すように、ベース部材４２に設けられた引っ掛け部７４が、横フレーム材３６ａの下端に引っ掛けられている構成としてもよい。この構成では、固定部４５が、延出部４６から上方ではなく下方に向けて延びており、引っ掛け部７４が固定部４５の下端から屋内側に向けて延びている。引っ掛け部７４は、横フレーム材３６ａの下端に引っ掛けられており、それによって、ベース部材４２が横フレーム材３６ａに対して上方に移動することが規制されている。ちなみに、ベース部材４２には、横フレーム材３６ａの下端に引っ掛けられる引っ掛け部７４と、上端に引っ掛けられる引っ掛け部７４とが両方とも設けられていてもよい。
【００９１】
ベース部材４２においては、固定部４５が横フレーム材３６ａと外壁面材３２との間に入り込んだ状態となっていない。この場合、外壁面材３２が下地フレーム３３に当接しており、外壁面材３２と下地フレーム３３との間の屋外側通気層３８ｂは形成されていない。固定部４５は、外壁面材３２の下方においてビス５１により横フレーム材３６ａの屋外側フランジに固定されている。なお、固定部４５は、接着剤等により横フレーム材３６ａに固定されていてもよい。
【００９２】
（４）上記実施形態では、カバー部材４３に覆い部６４が設けられていたが、覆い部６４は、ベース部材４２に設けられていてもよい。例えば、覆い部６４が、第１接続部６１の上方において支持部４７の上端から屋外側に向けて延びている構成とする。また、覆い部６４は設けられていなくてもよい。
【００９３】
（５）電気配線５９が水切部５６の屋内側に敷設されている構成であれば、その電気配線５９は折り返し部５７の上に載置されていてなくてもよい。例えば、図７（ａ）に示すように、電気配線５９を保持する配線保持部７６がカバー部材４３に設けられている構成とする。この構成では、配線保持部７６は、水切部５６から屋内側に向けて突出した状態で水切部５６の屋内側面に設けられており、その水切部５６に沿って延びている。この構成でも、電気配線５９が水切部５６の屋内側に配置されているため、水切部５６により電気配線５９を屋外側から覆い隠すことができる。なお、配線保持部７６が配線支持部に相当する。
【００９４】
また、図７（ｂ）に示すように、配線保持部７６がベース部材４２に設けられている構成としてもよい。この構成では、ベース部材４２において、支持部４７が延出部４６から下方に向けて延びており、配線保持部７６は、支持部４７から下方に向けて延びている。配線保持部７６は、溝開口を水切部５６側に向けた溝形状の部材とされており、水切部５６により覆い隠される大きさ及び形状とされている。電気配線５９は、複数のベース部材４２の各配線保持部７６に架け渡された状態となっており、それによって、水切部５６の屋内側において敷設されている。この構成でも、電気配線５９が水切部５６の屋内側に配置されているため、水切部５６により電気配線５９を屋外側から覆い隠すことができる。
【００９５】
さらに、水切部５６の屋内側に電気配線５９が敷設されている構成においては、電気配線５９を屋外側に引き出す引き出し孔７７が水切部５６に設けられていてもよい。この構成によれば、電気配線５９が引き出し孔７７に挿通されていることでその引き出し孔７７において支持されていることになり、電気配線５９が配線保持部７６から垂れ下がった状態となることを抑制できる。
【００９６】
（６）上記実施形態では、ベース部材４２において外壁面材３２が入り込む部分の有効幅寸法（支持部４７と突起部４９との離間距離）が外壁面材３２の厚み寸法よりも大きくされていたが、有効幅寸法は外壁面材３２の厚み寸法と同じ又はそれよりも小さくされていてもよい。この場合でも、ベース部材４２が弾性変形することにより、外壁面材３２の下端部を支持部４７の屋内側に挿し入れることが可能となる。
【００９７】
（７）上記実施形態では、カバー部材４３が接続部６１，６２によりベース部材４２に対して取り付けられていたが、カバー部材４３は、ビス等の固定具や接着剤などによりベース部材４２に対して取り付けられていてもよい。
【００９８】
（８）ベース部材４２は、下地フレーム３３の横フレーム材３６ａではなく、一対の縦フレーム材３５の下端に取り付けられていてもよい。この場合、仮に下地フレーム３３が横フレーム材３６ａを有していなくても、ベース部材４２を下地フレーム３３の下端に取り付けることができ、その結果、カバー部材４３を外壁面材３２の下端に沿って延びるように取り付けることができる。
【００９９】
（９）建物は、ユニット式建物ではなく、鉄骨軸組工法や枠組壁工法などにより構築された建物であってもよい。この場合でも、建物の外壁が、横並びに設けられた複数の外壁パネルを含んで構築され、それら外壁パネルの下端に沿って延びるように土台水切が設けられていればよい。
【符号の説明】
【０１００】
２０…建物ユニット、２２…建物躯体を構成する天井大梁、２３…建物躯体を構成する床大梁、３０…外壁、３１…外壁パネル、３２…外壁面材、３３…下地フレーム、４１…土台水切、４２…取付部材としてのベース部材、４３…水切部材としてのカバー部材、４５…入り込み部としての固定部、４６…延出部、４７…対向部としての支持部、４９…突起部、５７…配線支持部としての折り返し部、５９…電気配線、７４…引っ掛け部、７６…配線支持部としての配線保持部。
【図１】
2013194441.tif 000003
【図２】
2013194441.tif 000004
【図３】
2013194441.tif 000005
【図４】
2013194441.tif 000006
【図５】
2013194441.tif 000007
【図６】
2013194441.tif 000008
【図７】
2013194441.tif 000009